(57)【要約】      （修正有）【課題】必要に応じて天板の高さを変更することができ、脚部及び引出し部を交換及び変更することが可能なデスクを提供する。【解決手段】天板２と脚体３と引出し体４、５とからなる組み替え可能なデスク１で、脚体３と引出し体４、５とを天板に着脱自在に交換可能かつ上下２段以上に連結可能として、１段または２段とすることにより天板２の高さを約７４０ｍｍから約３８０ｍｍ、約３８０ｍｍから約７４０ｍｍに変更でき、脚体３と引出し体４、５の左右交換も可能とした。【選択図】図１５
2014079550.tif 000002
【特許請求の範囲】
【請求項１】
天板と脚体と引出し体とからなる組み替え可能なデスクで、天板の高さを約７３０ｍｍから約３７５ｍｍ、約３７５ｍｍから約７３０ｍｍに変更できることを特徴とする組み替え可能なデスク。
【請求項２】
脚体および引出し体を上下２段以上に連結できることを特徴とする請求項１記載の組み替え可能なデスク。
【請求項３】
天板の左右及び後側に、脚体と引出し体を必要に応じて着脱自在に交換できることを特徴とする請求項１又は２記載の組み替え可能なデスク。
【請求項４】
脚体に物置部を設けると共に、引出し体に、１ないし２つの引出しを設けてなることを特徴とする請求項１、２又は３記載の組み替え可能なデスク。
【請求項５】
引出し体が、キャスター付であることを特徴とする請求項１、２、３又は４記載の組み替え可能なデスク。
【請求項６】
天板の厚みを約２０ｍｍとし、脚体と引出し体の高さを約３５５ｍｍとすることを特徴とする請求項１、２、３、４又５記載の組み替え可能なデスク。
【発明の詳細な説明】
【技術分野】
【０００１】  本発明は、天板と脚体と引出し体とからなる組み替え可能なデスクに関するものである。
【背景技術】
【０００２】  従来の技術としては、四隅部の下方に脚体が突出して設けられた矩形の基準支持枠体と二隅部の下方に拡張脚体が突出して設けられた矩形の拡張支持枠体とを具備し、直線方向又は直角方向に配置された前記基準支持枠体および前記拡張支持枠体の上面に、これら枠体を連結するように、少なくとも二枚の天板が、固定具を介して着脱自在に設けられ、前記天板が設けられた状態で、前記拡張脚体が、その上方の天板の外端部側に位置するようにしたものがある。（特許文献１参照）【０００３】  また、別の従来の技術として、学習机は、天板の下面に両側部を余して引出しを収容するボックス体を固定し、ボックス体の側板の外側面と天板下面とに脚体の上部を着脱可能に取り付けると共に、両側の脚体の後側下部間に横桟を着脱可能に連結して物であり、一方の脚体と横桟を取り外し、取り外した脚体を他方の脚体の内側後部で天板後縁に沿って配置し、該脚体の上部を前記ボックス体の背板と天板下面に着脱可能に取り付けると共に、両脚体の下端に設けた設置部材同士を接合して連結し、脚体を取り外した側縁を書棚に連結してなるがある。（特許文献２参照）
【先行技術文献】
【特許文献】
【０００４】
【特許文献１】  特開２００７−２１１０４号公報
【特許文献２】  特開２０１０−２７９５１３号公報
【発明の概要】
【発明が解決しようとする課題】
【０００５】  上記前者は、少なくとも二枚の天板が固定具を介して着脱自在に設けられる形態であり、本発明のような高さ寸法の機能はなく、また、脚体及び引出し体を交換及び変更することはできない。【０００６】  上記後者は、基本的に天板の側縁を書棚を連結してなるもので、これも前者と同様、本発明のような高さ寸法の機能はなく、また、脚体及び引出し体を交換及び変更することはできない。【０００７】  本発明は、このような従来の構成が有していた問題を解決しようとするものであり、天板の高さを約７３０ｍｍから約３７５ｍｍ等に変更できることにより、椅子に座っての使用や座椅子に座っての使用が、必要に応じて変更できる。
また、その技術として天板の厚みを２０ｍｍとし、脚体及び引出し体を上下２段にでき、１つの高さを３５５ｍｍとする。
さらに、脚体と引出し体を左右交換でき、多目的に使用できる。
【課題を解決するための手段】
【０００８】  本発明は上記目的を達成するため、天板と脚体と引出し体とからなる組み替え可能なデスクで、天板の高さを約７３０ｍｍから約３７５ｍｍ、約３７５ｍｍから約７３０ｍｍに変更できること。脚体および引出し体を上下２段以上に連結できること。天板の左右および後側に、脚体と引出し体を必要に応じて着脱自在に交換できること。脚体に物置部を設けると共に、引出し体に、１ないし２つの引出しを設けてなること。引出し体が、キャスター付であること。天板の厚みを約２０ｍｍとし、脚体と引出し体の高さを約３５５ｍｍとすることを特徴とする。
【発明の効果】
【０００９】１）、天板の高さを約７３０ｍｍから約３７５ｍｍに、約３７５ｍｍから約７３０ｍｍへ変更できることにより、主に一般家庭にて椅子に座っての使用（約７３０ｍｍ）や座椅子に座っての使用（約３７５ｍｍ）でき、必要に応じて変更できる。
２）、脚体及び引出し体の高さを約３５５ｍｍ（天板の厚みは約２０ｍｍ）にすることにより、１段と２段により上記高さを設定でき、わざわざ２つのデスクを購入しなくてもよい。
３）、左利きの方や右利きの方に合わせて脚体と引出し体を左右交換できるため、利便性がよい。
４）、脚体に物置部を設けることにより、ちょっとした小物もおくことができる。
５）、引出し体を２種類設けることにより、自由に選定できる。
【図面の簡単な説明】
【００１０】
【図１】  本発明の一実施例を示す組み替え可能なデスクの天板の側面図。
【図２】  本発明の一実施例を示す組み替え可能なデスクの底面図。
【図３】  本発明の一実施例を示す組み替え可能なデスクの平面図。
【図４】  本発明の一実施例を示す組み替え可能なデスクの断面側面図。
【図５】  本発明の一実施例を示す組み替え可能なデスクの脚部の正面図。
【図６】  本発明の一実施例を示す組み替え可能なデスクの脚部の側面図。
【図７】  本発明の一実施例を示す組み替え可能なデスクの脚部の底面図。
【図８】  本発明の一実施例を示す組み替え可能なデスクの脚部の断面側面図。
【図９】  本発明の一実施例を示す組み替え可能なデスクの引出し部の正面図。
【図１０】  本発明の一実施例を示す組み替え可能なデスクの引出し部の平面図。
【図１１】  本発明の一実施例を示す組み替え可能なデスクの引出し部の断面側面図。
【図１２】  本発明の一実施例を示す組み替え可能なデスクのキャスター付引出し部の正面図。
【図１３】  本発明の一実施例を示す組み替え可能なデスクのキャスター付引出し部の平面図。
【図１４】  本発明の一実施例を示す組み替え可能なデスクのキャスター付引出し部の断面側面図。
【図１５】  本発明の第１実施例を示す組み替え可能なデスクの使用例。
【図１６】  本発明の第２実施例を示す組み替え可能なデスクの使用例。
【図１７】  本発明の第３実施例を示す組み替え可能なデスクの使用例。
【図１８】  本発明の第４実施例を示す組み替え可能なデスクの使用例。
【発明の実施するための形態】
【００１１】  組み替え可能なデスクは、天板２と脚部３と引出し部４（キャスター付引出し部５）とから構成される。
【００１２】  天板２は、平板状の上板２ａの裏面に、後述するノックピンを圧入するノック穴２ａ１−−−を複数設けてある。
なお、厚みＴを約２０ｍｍとする。
このノック穴２ａ１−−−の位置は、後述する脚部３や引出し部４（キャスター付引出し部５）のノックピンの位置と同位置とする。
また、裏面中央前方に引出し２ｂを設けてある。
脚体３は、平板を四角形状に形成した脚枠３ａの上面裏側中央に補強板３ｂを設けると共に、底面を物置部３ａ１とし、脚枠３ａの上面にノックピン３ｃを４本突設し、下面同位置にノック穴３ｄを４箇所設けてある。
なお、高さＨを約３５５ｍｍとする。
引出し体４は、引出し４ａを上下２段に設けてなると共に、上面にノックピン４ｂを４本突設し、下面同位置にノック穴４ｃを４箇所設けてある。
なお、高さＨ１を約３５５ｍｍとする。
キャスター付引出し体５は、キャスター５ａ１を底面前方中央１箇所に設けた引出し５ａを設けると共に、上面にノックピン５ｂを４箇所設けてなる。
なお、高さＨ２を約３５５ｍｍとする。
【００１３】  つぎに、組み替え可能なデスクの使用例（組み立て例）を説明する。
まず組み替え可能なデスク１は、天板２の上板２ａに設けた右側のノック穴２ａ１−−−に、脚体３をノックピン３ｃ−−−とノック穴３ｄ−−−を圧入して連結し、２段に形成した上段の脚体３のノックピン３ｃ−−−をノック穴２ａ１−−−に圧入して連結する。
つづいて、引出し体４とキャスター付引出し体５をノックピン５ｂ−−−と右側のノック穴４ｃとを圧入して連結し、２段に形成した上段の引出し体４のノックピン４ｂ−−−をノック穴２ａ１−−−に圧入して連結する。
この状態で、天板２の高さＨ３は約７３０ｍｍである。
一般的な使用方法で、学校・事務所・家庭で椅子に座って使用するものである。
【００１４】  つぎに、組み替え可能なデスク２１について説明する。
天板２の上板２ａに設けた左右のノック穴２ａ１−−−に、脚体３・３のノックピン３ｃを圧入して連結する。
この状態で、天板２の高さＨ４は約３７５ｍｍである。
これは、座椅子や座布団等に座って使用するものである。
【００１５】  つづいて、組み替え可能なデスク３１について説明する。
天板２の上板２ａに設けた右側のノック穴２ａ１−−−に、キャスター付引出し体５のノックピン５ｂ−−−を圧入して連結すると共に、左側のノック穴２ａ１−−−に引出し体４のノックピン４ｂ−−−を圧入して連結する。
【００１６】  最後に、組み替え可能なデスク４１について説明する。
天板２の上板２ａに設けた後側のノック穴２ａ１−−−に、脚体３のノックピン３ｃ−−−を圧入して連結してある。
これは、天板２に掛る荷重が大きい場合に天板２の変形を防止できるものである。
【００１７】  上記各実施例において、天板２に取り付ける脚体３や引出し体４（キャスター付引出し体５）のレイアウトは使用者が使い易いように選定すればよく、特に限定するものではない。
また、必要に応じて３段・４段でも対応できる。
さらに、連結方法は、ノックピンとノック穴に限定するものではなく、ボルト・ナット  等を使用してもよい。
【符号の説明】
【００１８】  １−−−組み替え可能なデスク
２−−−天板
３−−−脚体
４−−−引出し体
５−−−キャスター付引出し体
【図１】
2014079550.tif 000003
【図２】
2014079550.tif 000004
【図３】
2014079550.tif 000005
【図４】
2014079550.tif 000006
【図５】
2014079550.tif 000007
【図６】
2014079550.tif 000008
【図７】
2014079550.tif 000009
【図８】
2014079550.tif 000010
【図９】
2014079550.tif 000011
【図１０】
2014079550.tif 000012
【図１１】
2014079550.tif 000013
【図１２】
2014079550.tif 000014
【図１３】
2014079550.tif 000015
【図１４】
2014079550.tif 000016
【図１５】
2014079550.tif 000017
【図１６】
2014079550.tif 000018
【図１７】
2014079550.tif 000019
【図１８】
2014079550.tif 000020